Podtech/llm-jp-corpus-v4-ja_patent huggingface dataset:
(57)【要約】【課題】  本発明は歯間ブラシを清潔に乾燥させ、保管できるようにする。また、歯間ブラシの紛失を防ぐ。【解決手段】  本発明は弾力性のある素材でできた歯間ブラシたて本体１の中心に歯間ブラシのハンドル部分を差し込んで、たてて固定させる穴２に歯間ブラシ３をたてることによって、歯間ブラシを清潔に乾燥し、保管することができる。また、歯間ブラシたて本体１に色をつけることによって紛失を防ぐことができる。【選択図】図２
2011015932.tif 000002
【特許請求の範囲】
【請求項１】
弾力性のある素材でできたもので、安定した形で、その本体の中心に歯間ブラシのハンドル部分を固定させる穴をあけ、歯間ブラシをたてて、歯間ブラシを清潔に乾燥させることができる歯間ブラシたて。その歯間ブラシたて本体が倒れても、歯間ブラシのハンドル部分が本体に固定されているのでブラシ部分が床には着かず、歯間ブラシを清潔に乾燥させることができる。また、その歯間ブラシたて本体の素材に色などがあると、他の人との区別もでき、歯間ブラシの紛失を防ぐことができるなどの特徴のある歯間ブラシたて。
【発明の詳細な説明】
【技術分野】
【０００１】  本発明は、歯間ブラシを清潔に乾燥させ及び紛失を防ぐための歯間ブラシたてに関するものである。
【背景技術】
【０００２】  従来歯間ブラシを使用した後、水に濡れた状態の歯間ブラシを乾燥させるために、器に横に寝かした状態で歯間ブラシを保管していた。
【発明の開示】
【発明が解決しようとする課題】
【０００３】  歯間ブラシを使用したあと、器に横に寝かせて乾燥、保管していたが、歯間ブラシのブラシ部分が水に濡れた状態で、器の底に密着する。器にもほこりが溜まるので、歯間ブラシを清潔に保つには器の手入れも必要になってくる。従って、歯間ブラシのハンドル部分をたてて歯間ブラシを固定することにより、歯間ブラシのブラシ部分を何にも触れずに清潔に乾燥させるということが可能になり、前述の欠点を解決しようとするものである。
【課題を解決するための手段】
【０００４】  本発明は、歯間ブラシを清潔に乾燥させるために、歯間ブラシのハンドル部分をたてて固定するということから、弾力性のある素材でできた歯間ブラシたて本体そのものの中心に歯間ブラシのハンドル部分を差し込む穴をあけ、歯間ブラシをたてて固定させる。それによって、歯間ブラシを清潔に乾燥させることができる。
歯間ブラシたて本体は倒れにくいように、安定した形で形成する。もし、その歯間ブラシたて本体が倒れても、歯間ブラシのハンドルが歯間ブラシたて本体に固定されているため、ブラシ部分が床には着かず、歯間ブラシを清潔に乾燥させることができる。
また、その歯間ブラシたてに色などをつけて歯間ブラシの紛失を防ぐことができる。
など問題点を解決している。
【発明の効果】
【０００５】  上述のように、本発明の歯間ブラシたては歯間ブラシのブラシ部分を器などの容器に触れることなく、清潔に乾燥させることができる。また、本発明の歯間ブラシたての素材の色などで、他の人との区別もでき、紛失も防ぐことができる。
【発明を実施するための最良の形態】
【０００６】    弾力性のある素材でできた歯間ブラシたて本体１の中心に歯間ブラシ３をたたせて乾燥させるために開けた穴２に歯間ブラシのハンドル部分を差し込んで固定する。
【図面の簡単な説明】
【０００７】
【図１】本発明の歯間ブラシたてである
【図２】本発明の歯間ブラシたて中心の穴に、歯間ブラシのハンドル部分を差込み固定したものである。
【図３】本発明の歯間ブラシたて本体の中心部分の断面図である。
【符号の説明】
【０００８】  １．歯間ブラシたて本体
２．歯間ブラシのハンドル部分を差し込んで、たてて固定する穴
３．歯間ブラシ
【図１】
2011015932.tif 000003
【図２】
2011015932.tif 000004
【図３】
2011015932.tif 000005
(57)【要約】【課題】  本発明は足の裏のツボと足の裏のツボ以外の体のツボを刺激することができ、こすって使用するので体のマッサージの役目も果たし樹脂を使用することで軽く大きさも小さく場所を占めず、持ち運びも楽にした。しかも自分の自由な時間に使用できる。【解決手段】  直径約４ミリ高さ約１ミリの半球状の突起４を約４ミリ間隔に縦横に羅列した樹脂の板に握柄３を設けた樹脂の板でできた擦り健康器具を提供する。【選択図】図１
2011015933.tif 000002
【特許請求の範囲】
【請求項１】
板の少なくとも一面に多数の突起を突設した健康器具本体からなることを特徴とする擦り健康器具。
【請求項２】
前記健康器具本体に握柄を設けたことを特徴とする請求項１に記載の擦り健康器具。
【発明の詳細な説明】
【技術分野】
【０００１】  本発明は、マッサージや体擦り等に用いる健康器具に関する。
【背景技術】
【０００２】  従来体の健康器具には次の様なものがあった。たとえば実用新案登録第３１１１１２０号記載のツボ押圧シートや、特開２００２−１９１６６６記載のマッサージ棒などがあった。さらには足踏みサンダル、或いは足の裏ツボ押し健康器具等々があった。
【先行技術文献】
【特許文献】
【０００３】
【特許文献１】実用新案登録第３１１１１２０号
【特許文献２】特開２００２−１９１６６６
【発明の概要】
【発明が解決しようとする課題】
【０００４】  しかし、従来の前記特許文献１におけるツボ押圧シートは、例えば板状部材や棒状部材等に貼り付けて使用するものであり、貼り付ける手間がかかり使用上不便であった。また、前記特許文献２におけるマッサージ棒は、突起が柱状体や球面に突設されており、身体の各部に当たる突起の数はかぎられており、効果的なマッサージをすることができなかった。また、足踏みサンダルや足の裏ツボ押し健康器具は使用箇所が足の裏だけに限定されていて、膝や肩をこすったりするのに不便であった。
【課題を解決するための手段】
【０００５】  上記の課題を解決するために本願請求項１の発明の擦り健康器具は、板の少なくとも一面に多数の突起を突設した健康器具本体からなることを特徴とする擦り健康器具である。【０００６】  本願請求項２の発明の擦り健康器具は、前記健康器具本体に握柄を設けたことを特徴とする請求項１に記載の擦り健康器具である。
【発明の効果】
【０００７】  上記構成により本願請求項１の発明の擦り健康器具は、板の少なくとも一面に多数の突起を突設した健康器具本体からなることを特徴とするので、ツボ押圧シートを貼り付ける手間もかからず、身体の各部に当たる突起の数はおおくなり、効果的なマッサージが出来るという効果が得られる。更に膝を自由に擦ったりすることができるという効果が得られる。更にまた、速く擦る事によって熱を発生させ血行を良くし、疲れや痛みを和らげたり取り除いたりする効果を得る事ができる。【０００８】  また、本願請求項２の発明の擦り健康器具は、前記健康器具本体に握柄を設けたことを特徴とするので、膝を擦るのに好適である。
【図面の簡単な説明】
【０００９】
【図１】本発明の実施例を表す平面図
【図２】本発明の実施例を表す側面図
【発明を実施するための形態】
【００１０】  以下、本発明を実施するための形態を図面に基づいて説明する。図１は実施例を表す平面図、図２は同側面図である。１は擦り健康器具で、健康器具本体２に握柄３を設けて構成されていて、健康器具本体２の一方の平面側には多数の突起４が突設されている。
突起４は直径約４ミリ高さ約１ミリの半球状をしており、約４ミリ間隔に縦横に羅列している。なお、握柄３及び健康器具本体２は樹脂の板でできている。
【００１１】  実施例の擦り健康器具１は、片手もしくは両手で握柄３を握り、直径約４ミリ高さ約１ミリの半球状の突起４を約４ミリ間隔に縦横に羅列した部分を体の一部に押しつけ前後あるいは左右にこすって使用する。
【００１２】  膝が痛くて夜眠れず、朝起きの時も膝の痛みを感じる８３歳の女性が本発明の実施例に係る擦り健康器具１を３回（１回大体６０秒）使用したところ、痛みが軽くなり夜の膝の痛みも朝起きる時も痛みを感じなくなった。
【００１３】  朝起きる時膝に痛みを感じた５８歳の男性が、本発明の実施例に係る擦り健康器具１を３回（１回大体６０秒）使用したところ、膝の痛みがなくなった。
【００１４】  膝の痛みがひどく夜も眠れず朝起きの時も膝に痛みを感じていた６３歳の女性が、本発明の実施例に係る擦り健康器具１を３回（１回大体６０秒）使用したところ、膝の痛みを感じなくなった。
【符号の説明】
【００１８】１  擦り健康器具
２  健康器具本体
３  握柄
４  突起
【図１】
2011015933.tif 000003
【図２】
2011015933.tif 000004
(57)【要約】【課題】  履きやすく脱ぎやすいブーツを提供する。【解決手段】  ブーツ（２）に後側開口部（１）を設け、履き口を広げたことをを特徴とする後あきブーツ。【選択図】図１
2011015935.tif 000002
【特許請求の範囲】
【請求項１】
ブーツの裏側に開口部を設け、履き口を広げたことを特徴とする後あきブーツ
【発明の詳細な説明】
【技術分野】
【０００１】この発明は、履きやすく脱ぎやすいブーツに関するものである。
【背景技術】
【０００２】従来は、水撒き、足元を濡らす清掃、洗い物などで水はねが前側に集中する場合の履物としては、長靴（ブーツ）があった。
【発明の開示】
【発明が解決しようとする課題】
【０００３】    これには、次のような問題点があった。
（イ）  履きにくく、脱ぎにくく手軽さに欠けた。
本発明は、これらの問題点を除くためになされたものである。
【課題を解決するための手段】
【０００４】  ブーツの後側に開口部を設け、履き口を広げる。
本発明は、以上の構成よりなる後あきブーツである。
【発明の効果】
【０００５】  前側、側面側における水はね防止効果は長靴（ブーツ）着用時と同じであるから水はねが前側に集中するような作業時には通常の靴のように履いたり、脱いだり出来るので気軽に使える。
【発明を実施するための最良の形態】
【０００６】  以下、本発明の実施の形態について説明する。
（イ）  ブーツ（２）の後ろ側を足が入りやすい幅に開口し、後側開口部（１）を設ける。
本発明は、以上のような構造で、これを使用するときは、後側開口部（１）より足を入れる。
【図面の簡単な説明】
【０００７】
【図１】本発明の斜視図
【符号の説明】
【０００８】  １  後側開口部
２  ブーツ
【図１】
2011015935.tif 000003
(57)【要約】【課題】雨模様の日などの外出において、親の傘の柄に取り付けて、小さい子供の複数本の傘をまとめて持ち歩く時に便利な保持具を提供する。【解決手段】市販の傘の柄に巻きつけるに十分な長さのシリコーンゴムベルトの外側面中央部に、一般の傘の柄の太さ程の径の帯状ゴム輪を複数個取り付け、同じ面の一端から帯状ゴム輪の少し手前までマジックテープ（登録商標）凸部を設け、他端の内側面に短いマジックテープ（登録商標）凹部を設けたことを特徴とする、小さい子供の傘を親の傘にまとめて下げる保持具。【選択図】図１
2011015937.tif 000002
【特許請求の範囲】
【請求項１】
市販の傘の柄に巻きつけるに十分な長さのシリコーンゴムベルトの外側面中央部に、一般の傘の柄の太さ程の径の帯状ゴム輪を複数個取り付け、同じ面の一端から帯状ゴム輪の少し手前までマジックテープ（登録商標）凸部を設け、他端の内側面に短いマジックテープ（登録商標）凹部を設けたことを特徴とする小さな子供の傘を親の傘にまとめて下げる保持具。
【発明の詳細な説明】
【技術分野】
【０００１】  本発明は、傘やステッキ、杖の柄に取り付けて、複数の傘をまとめて持ち歩く時に便利な保持具に関するものである。
【背景技術】
【０００２】  今まで雨の日や雨の降りそうな日の電車、バスの車内、店舗の店内など幼児と親子で出掛けた場合には、安全のため子供の傘を親が持つことが多い。車内での傘の保持具としては、カバンにバンドなどを取り付け、濡れた傘を固定する保持具があった（特許文献１及び特許文献２参照）。
また、傘を携帯するための冶具としては、柄やその周辺に取り付けるベルトや紐あるいはストラップ状のものがあった（特許文献３及び特許文献４参照）。
【特許文献１】  特許公開２００２−２８２０３６号公報
【特許文献２】  登録実用新案第３０８３４０９号公報
【特許文献３】  登録実用新案第３０１４０６１号公報
【特許文献４】  特許公開２００５−１４４０６１号公報
【発明の開示】
【発明が解決しようとする課題】
【０００３】  その為に、次のような問題点があった。
（イ）幼児と親子での雨の日の外出における、電車やバスの車内、買い物時の店舗の店内などでは、安全のため親が子供の傘を持つ場合に、片手で複数本の傘を持つことは難しく、落としてしまったり、両手で持たざるを得なくなり、両手がふさがって買い物もままならなくなる。
（ロ）また、お年寄りの雨模様の日の外出においても、ステッキ（杖）と傘を片手で同時に保持することは難しく、バランスを崩して転倒する危険もある。
（ハ）カバンに付けたバンド等の保持具で傘を固定したり、傘の柄にベルト、ヒモ、ストラップ等を付けて持ち易くする方法は、あくまでも一本の傘を持ち易くしたものであり、荷物を持ち、子供を連れて歩く親が、子供の傘をまとめて複数本持ち歩きながらショッピング等の目的を果たすことは想定外にあり、役に立たなかった。
本発明は、これらの問題点を解決する為になされたものである。
【課題を解決する為の手段】
【０００４】  市販の傘の柄に巻きつけるに十分な長さのシリコーンゴムベルトの外側面中央部に、一般の傘の柄の太さ程の径の帯状ゴム輪を複数個取り付ける。シリコーンゴムベルトの同じ外側面の一端から帯状ゴム輪の少し手前までマジックテープ（登録商標）凸部を設ける。シリコーンゴムベルトの他端の内側面に短いマジックテープ（登録商標）凹部を設ける。
以上を特徴とする小さい子供の傘を親の傘にまとめて下げる保持具である。
【発明の効果】
【０００５】  乗物に乗ったり、買い物する時に、親は自分の傘を持つだけで、子供の傘を複数本安全に保持でき、両手もふさがることがない。お年寄りもステッキ、杖の柄だけを持てばよいので、雨の日の外出も安心して気軽にできる。シリコーン素材なので暑い日も寒い日も耐久性に富み、雨に濡れても滑り落ちたり、ズレたりすることもない。適度な柔軟性があって、着脱も容易で、装着位置も自由に変えられる。取り外しは簡単だが、コンパクトなので装着したままでも邪魔になることもない。
【発明を実施するための最良の形態】
【０００６】  以下、本発明の実施の形態について説明する。
（イ）市販の傘の柄に巻きつけるに十分な長さのシリコーンゴムベルト（２）の外側面中央部に、一般の傘の柄の太さ程の径の帯状ゴム輪（４）を複数個取り付ける。
（ロ）シリコーンゴムベルト（２）の同じ外側面の一端から帯状ゴム輪（４）の少し手前までマジックテープ（登録商標）凸部（１）を設ける。
（ハ）シリコーンゴムベルト（２）の他端の内側面に４ｃｍ程の短いマジックテープ凹部（３）を設ける。
本発明は以上のような構成の保持具（５）であり、これを使用する時は、シリコーンゴムベルト（２）を内側にし、親の傘の柄（６）の任意の位置に、マジックテープ（登録商標）凸部（１）とマジックテープ（登録商標）凹部（３）で装着し、帯状ゴム輪（４）に子供の傘の柄（７）を掛ける。子供の傘の柄（７）は自重で帯状ゴム輪（４）がしっかり締まり、はずれ難くなる。また、親の傘の柄（６）が濡れても、保持具（５）はシリコーンゴム素材面で柄に密着接触しているので、滑り落ちたり、脱落したりすることもない。既製のストラップなどと組み合わせて様々な用途に使用することもできる。もちろん、保持具（５）はお年寄りがステッキや杖の柄（８）に装着して自分の傘（９）を掛けて使用しても、全く同様の効果を得ることができる。
【図面の簡単な説明】
【０００７】
【図１】本発明の本体の斜視図
【図２】本発明の装着図
【図３】本発明の使用図
【図４】本発明の使用状態（傘への適用）を示す外観図
【図５】本発明の使用状態（ステッキへの適用）を示す外観図
【符号の説明】
【０００８】  １  マジックテープ凸部
２  シリコーンゴムベルト
３  マジックテープ凹部
４  帯状ゴム輪
５  保持具
６  親の傘の柄
７  子供の傘の柄
８  ステッキの柄
９  傘の柄
【図１】
2011015937.tif 000003
【図２】
2011015937.tif 000004
【図３】
2011015937.tif 000005
【図４】
2011015937.tif 000006
【図５】
2011015937.tif 000007
(57)【要約】【課題】  かかとおよび足底の皮膚の過剰な角化やひび割れを防止し、歩行やスポーツのかかとへの衝撃を緩和し、さらに足部の冷えの軽減や防臭等を目的に、足の皮膚に直接密着させて使用するインソールを提供する。【解決手段】  かかとおよび足底に直接密着した状態でインソールを装着し、その上から靴下やストッキングをはいて過ごすことで、保湿や保温、さらには衝撃緩和、防臭効果等が期待できる。【選択図】図１
2011015927.tif 000002
【特許請求の範囲】
【請求項１】
靴下やストッキングの中で、足の皮膚に直接密着した状態で使用するインソールである。
【発明の詳細な説明】
【技術分野】
【０００１】    この発明は、かかとおよび足底の皮膚に本発明を直接装着することにより、かかとおよび足底皮膚の過剰な角化やひび割れを防止し、歩行やスポーツによるかかとへの衝撃の緩和や、足の冷えの軽減や防臭等にも利用できるインソールに関するものである。
【背景技術】
【０００２】  従来から靴底に敷くインソールは多くあったが、靴下の中で直接皮膚に接した状態で装着して使用するインソールはなかった。
【特許文献１】
【０００３】
【発明の開示】
【発明が解決しようとする課題】
【０００４】    冬になるとかかとや足底の過剰な角化やひび割れや足の冷えに悩む女性や高齢者が多くなる。ヤスリでこすったり、保湿クリームや角化防止剤を塗ったり、特殊な靴下を履いたりしてきたが、いずれも大変煩わしいことであった。一方で、現代社会におけるアスファルトの道での歩行や多くのスポーツ時にかかるかかとへの衝撃は、かかとのみならず膝や腰を痛める原因の一つにもなっている。また靴を長時間履くことによる足のむれや悪臭も不愉快なものである。本発明はこれらの課題を解消するためになされたものである。
【課題を解決するための手段】
【０００５】    本発明のインソールを、かかとや足底の皮膚に直接密着した状態で装着し、その上からストッキングや靴下をはいて過ごすことで、かかとや足底の過剰な角化やひび割れを防止し、歩行時等のかかとへの衝撃の緩和や、足の冷えの軽減、防臭等を図るものである。足の下にインソールをつけた状態で靴下やストッキングをはくことは大変困難であるが、かかと部分のみの短い形状のものはかかとを立体的に包みこむことで、又、指先までの長い形状のものは、本発明の足指付け根部分に開口部をつけることで、その開口部に親指を挿入し足と本発明が一体となった状態で靴下やストッキングをはくことが可能となった。
【発明の効果】  本発明は皮膚と直接密着して使用することで、素材によっては皮膚からの水分蒸発を防ぐ保湿効果によりかかとや足底の皮膚の過剰な角化やひび割れを予防・改善するものである。本発明をかかとおよび足底に装着した上に自前の靴下やストッキングをはいてすごすことで、本発明と皮膚との密着性が保たれ、その角化予防効果はきわめて大きい。すでに角化が進んでいる場合は改善効果のみならず、ストッキングの傷みの予防効果もある。その形状からストッキングや靴下の着脱は容易で、かかとや足底だけに装着するため目立たず足がむれにくい。本発明の浅く短い形状のものは、普段の靴とストッキングでもそとから見えず、通勤や仕事中にも快適に装着して過ごすことができる。また、本発明のやや深いものや長い形状のものは、深い靴の使用時や、自宅で家事をしながら、また就寝中も使用することができる。一方で、歩行や運動時のかかとにかかる衝撃を緩和するため疲労軽減の効果も大きく、日常生活のみならず、通勤や勤務中、さらにウォーキングやスポーツにも役立つ。高齢者においては、足の冷えの軽減のみならず、足の皮膚の痩せをカバーして歩行がしやすくなり、健康保持の効果も期待できる。かかと部だけのショートタイプから足先までのロングタイプなど、また材質により、防臭やむれの防止等の目的にも活用できる。すでに使っている靴や靴下が使用できるため、極めて経済的である。
【発明を実施するための最良の形態】
【０００６】以下、本発明の実施の形態について説明する。
（イ）  本発明は、靴下やストッキングの中で、かかとおよび足底の皮膚に直接装着して使用するインソールである。
（ロ）  本発明は、かかとおよび足底を包み込む立体型のものでは、かかとを覆う部分の深さで、その浅いもの、深いもの、又長さでは、かかとから土踏まずまでのショートタイプのものから、かかとから足先までのロングタイプと、目的により多くの形状が可能である。
（ハ）  足底の角化はかかとと外側に強いため、足外側を多く包み込み、密着により不快に感じる足指付け根や土踏まずは避ける形状とする。
（ニ）  本発明のロングタイプにおいては、装着時の利便性と、蒸れ防止のため、足指付け根部分は楕円形に切り抜いた仕様とする。靴下やストッキングをはく時には、切り抜いた穴に親指をかけてはくことで本発明の先端と足底が離れずにはくことができ、はき終えたあとに靴下またはストッキングの上から本発明の先端を親指からはずし、足底にもどして使用する。
（ホ）  皮膚に直接密着して使用するため、角化予防や衝撃予防目的の場合は人体への安全性や密着性そして弾性から材質はシリコーンゴムが最適であり、洗ってくり返し使用できて、きわめて経済的である。
（ヘ）  靴を脱ぐ場所での防臭目的では、本発明のロングタイプ平坦型に防臭効果のある材質を使用することにより、防臭スプレー以上に効果が期待できる。ディスポーザブルのものも便利である。
（ト）  足の冷え防止目的では、本発明のロングタイプに保温性の材質を使用することにより、靴を脱いだあとも保温効果が期待できる。
【図面の簡単な説明】
【０００７】
【図１】  本発明ショートタイプの斜視図である。
【図２】  本発明ショートタイプの側面図である。
【図３】  本発明ショートタイプの上面図である。
【図４】  本発明ショートタイプの使用状態を示す立体図である。
【図５】  本発明ロングタイプ立体型の斜視図である。
【図６】  本発明ロングタイプ立体型の側面図である。
【図７】  本発明ロングタイプ立体型の上面図である。
【図８】  本発明ロングタイプ立体型の使用状態を示す立体図である。
【図９】  本発明ロングタイプの開口部に親指を挿入して、靴下を履く様子を示す立体図である。
【図１０】  本発明ロングタイプ平坦型の上面図である。
【図１１】  本発明ロングタイプ平坦型の側面断面図である。
【符号の説明】
【０００８】  １  ショートタイプのインソール本体
２  右足親指
３  ロングタイプ立体型のインソール本体
４  開口部（親指挿入部）
５  左足親指
６  ロングタイプ平坦型のインソール本体
【図１】
2011015927.tif 000003
【図２】
2011015927.tif 000004
【図３】
2011015927.tif 000005
【図４】
2011015927.tif 000006
【図５】
2011015927.tif 000007
【図６】
2011015927.tif 000008
【図７】
2011015927.tif 000009
【図８】
2011015927.tif 000010
【図９】
2011015927.tif 000011
【図１０】
2011015927.tif 000012
【図１１】
2011015927.tif 000013
(57)【要約】【課題】宝石や宝飾用物質に当たった光の、反射光の焦点を任意設定し、その３次元ドームなる焦点において、反射光線や、輝き、きらめき、虹色などを増幅し、宝石は宝飾用物質の美しさを強調して、目視させる方法を提供する。【解決手段】本発明は、宝石や宝飾物質の任意面、あるいは任意の各面を、任意の曲率半径によって研磨し磨くことによって、曲率半径によって決められる場所に３次元焦点ドームを発生させ、宝石や宝飾物質の明るさや輝き、きらめきや色付きを、その焦点空間において、三次元ドームとして強調したことを要旨とするものである。【選択図】図１
2011015928.tif 000002
【特許請求の範囲】
【請求項１】
天然および合成宝石、貴石、半貴石、および宝飾用合成物質にあたった光線の、宝石本体、あるいは宝飾用物質本体からの表面反射と、本体内部へ屈折入射してから、内部で反射した後、外部へ屈折放出される光の反射光線の焦点を決める方法であって、反射光を、天然および合成宝石、貴石、半貴石、および宝飾用合成物質の外部の任意の点で、焦点を持たせることによって、特定の反射光や輝きを任意の距離で増幅して見せるようにする方法である。
【発明の詳細な説明】
【技術分野】
【０００１】  本発明は、天然および人工宝石類、および宝飾用に作られた透明物質にあたった光の、外部への反射光が、任意の外部点で焦点を持つように、宝石類、および宝飾用に作られた透明物質表面の各面・ファセットを曲率半径を持つ曲面で研磨し、その反射光量および反射光線の強さと色を、任意に調整できるようにする方法に関するものである。
【背景技術】
【０００２】  宝石類や宝飾用物質にあたった光は、その物質の状態が透明なものは、一部の表面反射を除いて、他は全部内部へ入射し、入射した光の一部は下部へ漏洩し、一部は内部反射を繰り返して、再び上部から外部に放射される。一方、不透明な宝石類の場合は、内部への入射がないので、表面反射のみとなる。いずれの場合も、光が入射、あるいは反射、出射してゆく際の光の量や状態は、宝石類や宝飾用物質の表面の状態によって決められる。【０００３】  光は直進するが、宝石にあたった光がどのように進むかは、光のあたった表面の状態が平面であるか、球面、あるいは曲面であるかで異なる。【０００４】  図１で示すように、宝石類や宝飾用物質の特定の面や、それぞれの各任意の面が、球面で曲率半径を持つ場合は、その球面に入射した光の一部は表面で反射され、上部で３次元焦点をむすび、焦点の集合は、この場合、上部ドーム状となる。これらの各焦点では、光が集められているので、その各焦点上では、明るさが増幅されている。
【発明の開示】
【発明が解決しようとする課題】
【０００５】  本発明の目的は、宝石や宝飾用物質Ｄに当たった光の反射光線を、宝石や宝飾用物質Ｄの、任意の面、あるいは任意の各面を、任意の焦点距離をもつ曲率半径を持つ曲面に研磨し磨くことによって、その宝石や宝飾用物質Ｄの明るさ、輝き、色付の具合などを、任意の３次元焦点距離の場所で、増幅させて見せる方法を提供することにある。
【課題を解決するための手段】
【０００６】  本発明は前記目的を達成するため、適切な曲面を、宝石や宝飾用物質Ｄの任意の面に施すことで、反射光量を増幅し、その宝石や宝飾用物質Ｄの美しさを強調することを要旨とするものである。【０００７】  本発明は前記目的を達成するため、適切な硬さの研磨剤を使う必要がある。特にダイヤモンドの研磨や磨きにおいては、ダイヤモンド結晶の結晶方向の固さを考慮して、平面でない曲面への研磨や磨きにおいては、ダイヤモンド以上の固さを持つ物質が研磨には必要となる。この目的は、合成ナノ・カーボンであるニカナイト、あるいは、天然ダイヤモンドより固い結晶である、合成ヒメダイヤモンドなどを使用して、達成することを要旨とするものである。
【発明の効果】
【０００８】  これまでは見ることのできなかった、宝石や宝飾用物質Ｄに当たった光の、焦点での増幅され、強くされた反射光線の明るさや、増幅された輝きラスターや、増幅された虹色の美しさを、この発明によって、目視観察できるようになった。舞台で演奏や演技をする芸術家の手や耳や胸に輝く宝石類に、任意観客席への焦点を持たせ、その距離で立体ドーム状に輝くように設計することや、ショウウインドウ覗き込む顧客や店内空間や店頭での特定距離に輝きや、きらめきを増幅して提供することも、できるようになったので、この方法の利用によって、輝きやきらめき、明るさや虹色などの展示鑑賞のできる空間が任意の距離で広がった。
【発明を実施するための最良の形態】
【０００９】    以下、図面について本発明の宝石類および透明物質の光の反射通路と曲面との関係を説明する。図１は本発明のダイヤモンドなどの宝石類および宝飾用透明物質の、球面上での、光の表面反射通路を示す説明図である。Ｌ１とＬ２は入射光線であり、これが、曲率半径Ｃｒを持つテーブル面で反射する場合、いずれも前方の焦点Ｆで焦点を結ぶ。
【図面の簡単な説明】
【００１０】
【図１】本発明の宝石での光の反射焦点の例を示す説明図
【図２】本発明の曲率半径と焦点の関係例の説明図
【符号の説明】
【００１１】Ｃ…宝石面：クラウン
Ｃｒ…曲率半径
Ｄ…資料宝石類
Ｆ…焦点
Ｆｒ…焦点距離
Ｌ…入射光線
Ｐ…宝石面：パビリオン
Ｔ…宝石面：テーブル
【図１】
2011015928.tif 000003
【図２】
2011015928.tif 000004
(57)【要約】【課題】  靴内部の蒸れ、という不都合を解決すること。【解決手段】  先端部を開放し、突起部を設けた靴型を、靴内部に挿入する事により、空気通路を形成して、この課題を解決する。【選択図】図１
2011015929.tif 000002
【特許請求の範囲】
【請求項１】
靴の内部に挿入した時に、空気通路が形成される様に、先端部を開放し、外側に突起部を設けた、突起物式靴内部挿入用靴型。
【発明の詳細な説明】
【技術分野】
【０００１】  本発明は、靴の内部に挿入した状態で靴を履く靴型に関するものであり、空気通路が形成される様にしたものである。
【背景技術】
【０００２】  従来から、靴の蒸れ防止対策として、特許文献１、特許文献２、特許文献３、特許文献４、特許文献５、特許文献６、特許文献７、特許文献８、特許文献９がある。
【特許文献１】  実用新案第３１４５４０７号
【特許文献２】  特許公開２００９−１２５５３８
【特許文献３】  特許公開２００７−３３０６７０
【特許文献４】  特許公開２００７−１９０３４６
【特許文献５】  特許公開２００６−３２６２５８
【特許文献６】  特許公開２００６−３２０６６９
【特許文献７】  特許公開２００２−３４５５０３
【特許文献８】  特許公開２００１−１１２５０３
【特許文献９】  特許公開１９９７−１４９８０１
【発明の開示】
【発明が解決しようとする課題】
【０００３】  従来の技術においては、空気の換気性、水密性、耐久性、製作性が良好で無く、以上の不都合を解決する事を課題とする。
【課題を解決する為の手段】
【０００４】  これらの課題を解決する為の請求項１の発明は、靴内部に挿入する靴型の先端部を開放し、外側に突起部を設けた事を特徴とする。
【発明の効果】
【０００５】  本発明により、靴との間に空気通路が形成され、空気の換気効率が向上し、靴の水密性に悪影響を与えず、耐久性も大きく、射出成形により大量生産が可能である。
【発明を実施する為の最良の形態】
【０００６】  図１は、側面の全周を網状に製作して、先端部を開放し、外側前面上部に突起部を設けた事を、特徴とする靴型の立体図である。
【０００７】  図２は、この発明の靴型を、一例として、雨靴の内部に挿入した場合の立体図である。
【０００８】  これらの材料は、この靴型を靴に挿入しやすくする為、及び、足の運動に同調さす為に、比較的、変形可能なゴム材料又は軟質プラスチック材料等の射出成形材料で良い。
【産業上の利用可能性】
【０００９】  本発明に係る靴型は、工業的に量産する事が可能である為、産業上の利用可能性を有する。
【図面の簡単な説明】
【００１０】
【図１】  側面の全周を網状にして、先端部を開放し、外側前面上部に突起部を設けた、突起物式靴内部挿入用靴型の立体図である。
【図２】  この発明の靴型を、雨靴の内部に挿入した時の立体図である。
【符号の説明】
【００１１】  １        靴内部挿入用靴型
２        突起部
３        雨靴
【図１】
2011015929.tif 000003
【図２】
2011015929.tif 000004
(57)【要約】【課題】傘の使用後、覆いを収納し、収納時・収納後に水滴で濡れないような構造の傘【解決手段】図１は、本発明装置の外面覆い収納時の状態。すなわち、使用前、使用後の状態である。伸縮性のある布状の素材を用い、円筒形の差し棒となる外筒ａに支柱ｂを格納しておく。使用時には取手ｄを使って円筒形の差し棒ａの側溝にそって上方に移動することにより支柱ｂを伸ばし取手ｄをａに固定し、支柱ｂに張り付けてある布状の被膜ｅを外面覆いとして傘状に張り伸ばし図２の状態にする。【選択図】図１
2011015922.tif 000002
【特許請求の範囲】
【請求項１】
伸縮性のある素材を使い、使用するときは傘状に張り、使用しないときは、収縮し覆いを外部から触れられないようにした傘。
【発明の詳細な説明】
【技術分野】
【０００１】
伸縮性のある素材を覆いに使い、使用するときは傘状に張り、使用しないときは、覆いを収縮、収納し、外部から触れられないようにした傘。
【背景技術】
【０００２】
従来の傘は使用後、覆い外面を外にして収納するため、収納時、収納後に水滴で濡れてしまう欠点があった。
【発明の概要】
【発明が解決しようとする課題】
【０００３】
傘の使用後、覆いを収納し、収納時・収納後に水滴で濡れないような構造の傘。
【課題を解決するための手段】
【０００４】
使用後、円筒形の差し棒内に覆い布を収納し、傘の覆い外面をなくし、収納時、収納後も水滴で手が濡れないようにする。
【発明の効果】
【０００５】
本発明の傘は使用していないとき、傘の覆い外面をなくし、水滴で濡れないようにすることができる。また、この構造は日傘に応用することもできる。
【図面の簡単な説明】
【０００６】
【図１】図１は覆い収納時の傘の説明図である。（実施例１）
【図２】図２は使用時に覆いを開いた傘の説明図である。（実施例１）
【発明を実施するための形態】
【０００７】
伸縮性のある素材を外面覆いに用い、円筒形の差し棒内に、完全に収納することによって実現する。
【実施例１】
【０００８】
図１は、本発明装置の外面覆い収納時の状態。すなわち、使用前、使用後の状態である。伸縮性のある布状の素材を用い、円筒形の差し棒となる外筒ａに支柱ｂを格納しておく。
【０００９】
使用時には取手ｄを使って円筒形の差し棒ａの側溝にそって上方に移動することにより支柱ｂを伸ばし取手ｄをａに固定し、支柱ｂに張り付けてある布状の被膜ｅを外面覆いとして傘状に張り伸ばし図２の状態にする。
【００１０】
収納時は取手ｄを掴み、差し棒ａの下方へ戻すことによって支柱ｂを外筒ａ内へ収納し、取手ｄにより外筒ａに固定する。被膜は撥水性、収縮性があるものとする。また、防黴性、防臭性の高いものにすることもよい。
【産業上の利用可能性】
【００１１】
手を濡らすことなく収納でき、特に人の密集する空間内で濡れることなく、使用済みの収納状態の傘をもっていることができる。
【符号の説明】
【００１２】
ａ    差し棒（外筒）
ｂ    支柱
ｃ    主軸
ｄ    取手
ｅ    被膜
【図１】
2011015922.tif 000003
【図２】
2011015922.tif 000004
(57)【要約】【課題】  パッティングにおいて神経質になりすぎ、イップスに悩むゴルファーの無駄な緊張をほぐしてスムーズなストロークをもたらし、さらに、両目のラインを確認しながらストローク練習できるパッティング練習器を提供する。【解決手段】  中心に直径、約１．５ｃｍ程度の穴を開けた、直径、約１０〜１２ｃｍ、厚さ、約１〜３ｍｍ程度の円盤の表面にゴルフボールのデザインを、裏面に鏡面などの反射素材を施したことを特徴とする。【選択図】図２
2011015925.tif 000002
【特許請求の範囲】
【請求項１】
視覚的に緊張をほぐし、スムーズなストロークをするためにゴルフボールの下に敷く、直径、約１０〜１２ｃｍ、厚さ、約１〜３ｍｍ程度のゴルフボールのデザインが施したパッティング練習器。
【請求項２】
両目の位置、ラインを確認しながらストロークをするためにゴルフボールの下に敷く、直径、約１０〜１２ｃｍ、厚さ、約１〜３ｍｍ程度の鏡面などの反射素材が施したパッティング練習器。
【発明の詳細な説明】
【技術分野】
【０００１】  本発明は、パッティング練習時にゴルフボールの下に敷く、直径、約１０〜１２ｃｍ、厚さ、約１〜３ｍｍ程度の円盤で、円盤の表面にゴルフボールのデザインを施すことにより、直径わずか４．３ｃｍの小さなゴルフボールに対する意識を周りのデザインに分散して緊張を緩和し、スムーズなストロークを実感できるパッティング練習器である。
また、円盤を裏返すと反射素材になっていて、体やゴルフクラブに器具を接続することなく、ゴルフボールと両目のラインを確認しながらストロークできるパッティング練習器である。
【背景技術】
【０００２】  従来、視覚的にゴルファーの無駄な緊張をほぐし、ゴルファー本来の自然なストロークを生み出す練習器具はなかった。
また、ゴルファーの頭や顔、ゴルフクラブに装着し目線の動きを気づかせる器具、ゴルフボールの周りに反射素材を設ける器具はあったが、ゴルフボールの真下に反射素材を設け、両目のラインを確認できる練習器具はなかった。
【先行技術文献】
【０００３】
【特許文献１】  特開２００６−２６３０４０号公報
【特許文献２】  特開２００９−２８４８３号公報
【特許文献３】  特開２００７−１５２０７２号公報
【発明の開示】
【発明が解決しようとする課題】
【０００４】（イ）パッティングにおいて最も注目される点は、他のスポーツに比べてあまりに小さす    ぎるゴルフボールの一点に、クラブフェースの芯で正確に捕らえ、ストロークしなけ    ればいけないという点である。
しかし、この制約がゴルファーに必要以上の緊張をもたらし、ぎこちないストロー    クや、インパクトでの悪癖を生み出し、最終的にはイップスを生み出してしまうので    ある。
このことを解決させる練習器具が今までにはなかった。
（ロ）ゴルフボールの周りに反射素材を設けると、ゴルフボールから視線がはずれるので    、ゴルフボールを見ながらストローク練習できなかった。
（ハ）ゴルフボールの真下に置くコの字型の鏡面形成素材の器具は、打出し方向部分が欠    けているため、片方の目しか鏡面に写らなかった。
本発明は、これらの問題点を解決するためになされたものである。
【課題を解決するための手段】
【０００５】  中心に直径、約１．５ｃｍ程度の穴を開けた、直径、約１０〜１２ｃｍ、厚さ、約１〜３ｍｍ程度の円盤の表面にゴルフボールのデザインを施す。
円盤の裏面に鏡などの反射素材を設ける。
以上を特徴とするパッティング練習器である。
【発明の効果】
【０００６】  ゴルフボールの下に、パターヘッドよりも大きいゴルフボールのデザインが見えることにより、クラブフェースの芯で正確に球をとらえる制約から解放され、スムーズなストロークができるようになる。
ゴルフボールの下の反射素材に両目が写るので、目線を確認しながらパッティング練習できる。
【図面の簡単な説明】
【０００７】
【図１】  本発明の平面図である。
【図２】  本発明の使用状態を示した平面図である。
【図３】  本発明の裏面の平面図である。
【図４】  本発明の使用状態を示した平面図である。
【発明を実施するための形態】
【０００８】  以下、本発明の実施の形態について説明する。
（イ）直径、約１０〜１２ｃｍ、厚さ、約１〜３ｍｍ程度の円盤の表面に、ゴルフボール    のデザインを施す。
（ロ）円盤の中心に直径、約１．５ｃｍ程度の穴を開ける。
（ハ）円盤の裏面に鏡などの反射素材を設ける。
本発明は以上のような構造である。
本発明を使用するときは、目標にターゲットライン（３）をあわせた円盤中心の穴（２）にゴルフボール（４）をのせ、ゴルフボール（４）を凝視するのではなく、円盤表面（１）のゴルフボールのデザインを見ながらパッティング練習をおこなう。
また、円盤を裏返して、目標にターゲットライン（８）をあわせた円盤中心の穴（７）にゴルフボール（４）をのせ、円盤鏡面（６）に写った両目の向きを確認しながらパッティング練習をおこなう。
【符号の説明】
【０００９】    １  円盤ボールデザイン面
２  穴
３  ターゲットライン
４  ゴルフボール
５  クラブヘッド
６  円盤鏡面
７  穴
８  ターゲットライン
【図１】
2011015925.tif 000003
【図２】
2011015925.tif 000004
【図３】
2011015925.tif 000005
【図４】
2011015925.tif 000006
(57)【要約】【課題】  パッティング練習時に、ゴルファーの頭やゴルフクラブに何も接続することなく、頭の動きを把握できるゴルフ練習器を提供する。【解決手段】  垂直に接続された二つの長方形のフレームにおいて、フレームＡ（１）の上部およびフレームＢ（２）の上部でできるＴ字の部分と、下部でできるＴ字の部分を、ボール（５）の上で重なって見えるように配置させ練習することで、ストローク中の頭の動きが、重ね合わせた二つのＴ字の視界のずれかたによって把握できることを特徴とする。【選択図】図１
2011015924.tif 000002
【特許請求の範囲】
【請求項１】
重なり合ってみえる２本の棒がずれてみえることによって、頭の動きに気づかせるゴルフ練習器具。
【発明の詳細な説明】
【技術分野】
【０００１】  本発明は、重なり合った２組のＴ字型の棒がずれて見えることによって、前後左右への頭の動きに気づかせるゴルフ練習器に関することである。
【背景技術】
【０００２】  従来、頭の動きを制御するには、器具を頭やゴルフクラブに接続するもの、鏡を利用するものしかなかった。
【先行技術文献】
【０００３】
【特許文献１】  特開平７−２１３６７０号公報
【特許文献２】  特開２００９−２８４８３号公報
【特許文献３】  特開２００１−２９５２８号公報
【発明の概要】
【発明が解決しようとする課題】
【０００４】  ゴルフスイングは体の中心を軸とした回転運動であり、その軸の頂点である頭を動かさないようにスイングすることはとても重要であるが、意外に自分自身では気がつかないものである。
従来は、ゴルファーの体やゴルフクラブに器具を装着することなく、頭を固定する練習器具がなかった。
本発明は、この課題を解消するためになされたものである。
【課題を解決するための手段】
【０００５】  横向きの長方形のフレームの左側面の上下両端とフレームの上面右端に円筒形もしくは立方体の突起物を設ける。
フレーム右端中央とフレーム上下の手前面中央に前記の突起物を挿入するための穴を設ける。
以上のような形のフレームを３つ用意する。
長方形のフレームＡ（１）とフレームＢ（２）をボール（５）の上で直角に接続し、フレームＡ（１）とフレームＢ（２）の上部と下部にできる二組のＴ字の形が、ボールを真上から見たらぴったり重なる位置にセットする。
このときフレームＣ（３）をフレームＢ（２）に接続することにより地面からの高さを出し、接続された三つのフレームのバランスの悪さを解消するために、箱型容器（４）にフレームＣ（３）を接続し安定させる。
以上を特徴とするゴルフ練習器である。
【発明の効果】
【０００６】  ボールの上で重なり合った二つのＴ字型のフレームがストローク中にずれなければ、少なくとも頭が水平方向に動いていないことが確認できる。
もし、ストローク中にずれるようであれば、頭が水平方向に動いてしまっていることが確認できる。
このように、この練習器具を使えば、頭を器具で固定したり、ゴルフクラブに器具を装着したり、ビデオ撮影したり、第三者に見てもらったりすることなく、実際にボールをストロークしながら、自分自身で頭の動きを確認することができる。
【図面の簡単な説明】
【０００７】
【図１】  本発明の斜視図である。
【図２】  本発明の平面図である。
【図３】  本発明の一部の斜視図である。
【図４】  本発明の分解斜視図である。
【図５】  本発明の使用状態を側面から示した立面図である。
【図６】  本発明の使用状態を示す平面図である。
【図７】  本発明の使用状態を側面から示した立面図である。
【図８】  本発明の使用状態を示す平面図である。
【図９】  本発明の使用状態を後方から示した立面図である。
【図１０】  本発明の使用状態を示す平面図である。
【図１１】  本発明の使用状態を後方から示した立面図である。
【図１２】  本発明の使用状態を示す平面図である。
【発明を実施するための形態】
【０００８】  以下、本発明の実施の形態について説明する。
（イ）箱型容器（４）の蓋の穴二箇所に長方形のフレームＣ（３）の突起部分を垂直に接    続する。
（ロ）フレームＣ（３）の穴一箇所にフレームＢ（２）の突起部分を接続する。
（ハ）フレームＢ（２）の突起部分二箇所をフレームＡ（１）の穴に接続する。
本発明は以上のような構成である。
これを使用するときは、フレームＡ（１）の真下にボール（５）をセットし、クラブフェースがフレームＢ（２）に重なるように構える。
ストローク中に、図６や図８のように、フレームＡ（１）上部の真下に重なって見えないはずのフレームＡ（２）下部が見えたら、図５や図７のように、頭がボール（５）の真上から前後方向に動いているという証拠となる。
また、ストローク中に、図１０や図１２のように、フレームＢ（２）上部の真下に重なって見えないはずのフレームＢ（２）下部が見えたら、図９や図１１のように、頭がボール（５）の真上から左右方向に動いているという証拠となる。
使用後は、図４のように、フレームＡ（１）とフレームＢ（２）、フレームＣ（３）は分解することができ、箱型容器（４）の中に収納することができる。
【符号の説明】
【０００９】１    フレームＡ
２    フレームＢ
３    フレームＣ
４    箱型容器
５    ボール
６    クラブヘッド
７    地面（ボール）からの垂線
８    ボールへの目線
９    突起物
１０  穴
【図１】
2011015924.tif 000003
【図２】
2011015924.tif 000004
【図３】
2011015924.tif 000005
【図４】
2011015924.tif 000006
【図５】
2011015924.tif 000007
【図６】
2011015924.tif 000008
【図７】
2011015924.tif 000009
【図８】
2011015924.tif 000010
【図９】
2011015924.tif 000011
【図１０】
2011015924.tif 000012
【図１１】
2011015924.tif 000013
【図１２】
2011015924.tif 000014
(57)【要約】【課題】爪を切る際、爪の飛散を防ぎ安全に容易に爪切り作業を行える事を可能にする。【解決手段】手を入れるため左右両端に伸縮素材で作られた開口部が設けられ、また一部には、中の作業が充分見えるよう透明部分の窓を有する布等の柔軟素材で作られた袋状のカバーの中で爪切り作業を行う事により爪の飛散を防ぐ事が出来る。カバーの一部に第３の開閉自在な開口部があるため自分の足や第三者の爪を切る事が出来る。ほぼ密閉状態の袋状のカバーの中で爪切り作業を行うので様々な形態の爪切り用具を用いて爪の飛散を気にせず爪切り作業を行える。柔軟素材で作られているため小さく折りたたむ事が可能で簡単に持ち運びができ場所を選ばず爪切り作業が行える。【選択図】図２
2011015926.tif 000002
【特許請求の範囲】
【請求項１】
左右両端の開口部から両手を入れて中で爪を切る事が出来、その一部は充分に中を見ることが出来るようにビニール等透明素材で窓が設けられている布等柔軟素材で出来た袋状の爪飛散防止カバー。
【請求項２】
爪の飛散を防ぐ為に左右両端の開口部はゴム等の伸縮自在の素材によって手を入れた際その間に隙間が出来ない程度に絞られ、また左右の開口部以外に切った爪を捨てる自分の足の爪を切る第三者の爪を切る等の目的で使用される面ファスナー等で作られた開閉自在な第３の開口部を有した爪飛散防止カバー。
【発明の詳細な説明】
【技術分野】
【０００１】  本発明は、手足の爪を切る際に切った爪が飛散するのを防止する事を目的とした、自身の爪切りはもちろん第三者の爪切りも簡単に安全に行える爪飛散防止カバーに関するものである。
【背景技術】
【０００２】  従来の爪切には、爪の飛散を防ぐ為に４種類の技術がある。
▲１▼  爪切本体に切った爪屑を収納するカバーがついている。
▲２▼  特許公開２００２−１０１９４５（爪切空間）のような大きなケースの中で爪を切る。
▲３▼  特許公開２００６−３１１９９４（爪屑飛散防止カバー）の自身の手足や他者の手足を入れる事が出来る３つのゴムなど伸縮性のよい伸縮輪を有し輪状の補強リングを使用する透明度が高い筒状カバー。
▲４▼  実用新案第３０７５７３４号（爪屑袋入れ収納ケース付き爪切）のように指を一本ずつ爪屑袋に入れて爪を切る。
【先行技術文献】
【特許文献】
【０００３】
【特許文献１】特許公開２００２−１０１９４５号
【特許文献２】特許公開２００６−３１１９９４号
【特許文献３】実用新案第３０７５７３４号
【発明の概要】
【発明が解決しようとする課題】
【０００４】  従来の本体に切った爪を収納するカバーがついているものは、カバーの端から細かい爪が落ちる、カバーが外れやすい、刃先近くまでカバーがあり爪が切りにくい等の問題があった。
特許文献１の技術は、大型で複雑であり制作費が高額になるため、使用者が限定され一般に普及するのは難しい。
特許文献２の技術は、透明の筒状カバーの中で爪を切るという技術では、考え方において当発明にもっとも似たものである。しかし一般の家庭に普及するためには素材やデザインに発展性がない、自分の手足の爪を切る為と他者の爪を切る為に２種類のカバーを必要とする、また補強リングを使用するのが面倒といった問題がある。
実用新案第３０７５７３４号の技術は、指一本ずつを袋に入れて爪を切るという点で面倒であり、構造的にも簡単に爪切り作業が行えない、爪の飛散を防ぐには不完全であるという問題がある。【０００５】  本発明は、このような従来の技術が有していた問題を解決しようとするものであり、様々な形態の爪切り用具を手軽に使用出来、どのような場所でも安全に快適に爪の飛散を気にすることなく爪切り作業が行える事を目的とするものである。
【課題を解決するための手段】
【０００６】  上記の目的を達成するために左右両端の開口部から両手を入れて中で爪を切ることが出来、その一部は、充分に中を見ることが出来るようにビニール等透明素材で窓が設けられている布等の柔軟素材で構成されている袋状のカバーを提供する。【０００７】  さらに、爪の飛散を防ぐ為に左右両端の開口部はゴム等の伸縮自在の素材によって手を入れた際、その間に隙間が出来ない程度に絞られ又左右の開口部以外に切った爪を捨てる、第三者の爪を切る、自分の足の爪を切る等の目的で使用される面ファスナー等で作られた開閉自在な第３の開口部を設ける。
【発明の効果】
【０００８】  ［請求項１］の発明によれば完全に覆われた袋状の中で爪を切る事により、爪の飛散を防ぐことが出来、爪切り本体にカバーをつける必要がないため切りやすく様々な形態の爪切り用具を使用しても爪の飛散を気にせず爪を切ることが出来る。
［請求項２］の発明によれば両端の開口部以外に開閉自在の第３の開口部をカバーの一部に設けた事により自身の足の爪や第三者の爪を切ったりする事も出来る。【０００９】  また、素材が手軽に手に入る物であり、形態が極めて単純なため簡単にしかも安価に作成出来るうえに軽く小さく折りたためるので持ち運びが容易に出来、場所を選ばず爪切り作業が行える。透明素材で出来た窓以外の袋状の素材は、布などの柔軟素材を使用するため目的に応じて様々にデザインして楽しめる。
【図面の簡単な説明】
【００１０】
【図１】本発明全体の斜視図。
【図２】使用者本人の使用状態を示す斜視図。
【図３】使用者本人と第三者の使用状態を示す斜視図。
【発明を実施するための形態】
【００１１】  以下、本発明の実施形態を、図１〜図３に基づいて説明する。
【００１２】  布等の柔軟素材で袋状のカバーを作る。（図１）
中が良く見えるようにビニール等の透明素材でカバーの一部に窓２を作る。
手を入れられるように左右両端に開口部１を設け、開口部１は手を入れた際隙間が出来るだけ出来ないようにゴム等弾力素材によって絞られ弾力的に開口されている。
カバーの一部に爪を捨てたり第三者の手足や自分の足を入れることが出来る面ファスナー等で開閉自在な第３の開口部３を設ける。（図３）
【符号の説明】
【００１３】  １  手を入れる開口部。
２  本体に設けられた透明な窓。
３  本体に設けられた開閉自在な第３の開口部。
【図１】
2011015926.tif 000003
【図２】
2011015926.tif 000004
【図３】
2011015926.tif 000005